(57)【要約】【課題】チルト調整部の薄型化を可能にすることのできるディスク装置を提供する。【解決手段】チルト調整部４００のチルト調整部材４０４が、ガイド面４０１ａに沿って光ピックアップ駆動部３０７を移動させることにより光ピックアップ３０３から照射される光ビーム３０３ｂの光軸３０３ｃがディスク２００に対して垂直となるように調整する。チルト調整部材４０４はガイド面４０１ａに対して斜め方向で、且つ、光ピックアップ駆動部３０７に対して垂直方向に移動するので、チルト調整部材４０４の移動量を前記光ピックアップ駆動部３０７の必要チルト調整量より低減することができ、チルト調整部４００の薄型化を可能にすることができる。なお、光ピックアップ駆動部３０７の先端部は、付勢部材４０５によってチルト調整部材４０４およびガイド面４０１ａに接するように付勢されているので、光ピックアップ駆動部３０７の先端部はばたつくことなくディスク２００に対して接近・離反方向に調整されることになる。【選択図】図１０
2008097780.tif 000002
【特許請求の範囲】
【請求項１】
ディスクを回転させるディスク回転部と、前記ディスク回転部により回転されるディスクに対して光ビームを照射して情報の記録または再生を行う光ピックアップと、前記光ピックアップを前記ディスク回転部に装着されたディスクの径方向に移動可能に保持する光ピックアップガイド部材と、前記光ピックアップを移動させる光ピックアップ駆動部と、前記光ピックアップから照射された光ビームの光軸が前記ディスク回転部に装着されたディスクのディスク面に対して垂直になるように前記光ピックアップ駆動部の傾きを調整するチルト調整部とを備え、
前記チルト調整部は、前記ディスク回転部に装着されたディスクに対して垂直なガイド面と、前記ガイド面に沿って前記光ピックアップ駆動部を移動させるチルト調整部材と、前記チルト調整部材および前記ガイド面に向けて前記光ピックアップ駆動部を付勢する付勢部材を有し、
前記チルト調整部材は、前記ガイド面に対して斜め方向で、かつ、前記光ピックアップ駆動部に対して垂直方向に進退可能に設けられるとともに、前記調整部材と前記ガイド面とを前記光ピックアップ駆動部に対向して配置したことを特徴とするディスク装置。
【請求項２】
前記チルト調整部材は、前記光ピックアップ駆動部に対して前記ディスク回転部に装着されたディスクの反対方向に設けられたことを特徴とする請求項１に記載のディスク装置。
【請求項３】
前記光ピックアップ駆動部は、前記ガイド面と接触する第１の接触面と、前記チルト調整部材と接触する第２の接触面と、前記付勢部材と接触する第３の接触面とを有し、前記第１の接触面は平面で、かつ、前記第２の接触面と前記第３の接触面は円筒面で構成されたことを特徴とする請求項１または請求項２に記載のディスク装置。
【請求項４】
前記付勢部材は、チルト調整する時の前記光ピックアップ駆動部の移動方向に平行な方向に前記光ピックアップ駆動部を付勢することを特徴とする請求項１または請求項２または請求項３に記載のディスク装置。
【請求項５】
請求項１から４までの何れかに記載のディスク装置を備えたことを特徴とする電子装置。
【発明の詳細な説明】
【技術分野】
【０００１】
本発明は、光ピックアップから照射された光ビームの光軸をディスクの情報記録面に対して垂直に調整することができるチルト調整部の薄型化を図ったディスク装置に関するものである。
【背景技術】
【０００２】
従来のディスク装置は、図２５に示すようなチルト調整部を有している。
図２５に示すように、従来のディスク装置に設けられているチルト調整部１は、光ピックアップをガイドするガイド軸２と、ディスク回転部に装着されたディスクに対して垂直な基準面３と、この基準面３に対して平行に進退可能に設けられた調整ネジ４と、ガイド軸２を基準面３および調整ネジ４に対して付勢する付勢部材としてのコイルバネ５が設けられている。そして、調整ネジ４を進退させることでガイド軸２とディスク回転部に装着されたディスクの距離を変化させ、光ピックアップから照射された光ビームの光軸を垂直に調整する構成を有している（例えば特許文献１参照）。
【特許文献１】特開２００５−１１６０１０号公報（第４図）
【発明の開示】
【発明が解決しようとする課題】
【０００３】
しかしながら、基準面３に対して平行に進退可能に設けられた調整ネジ４で構成した従来のディスク装置においては、調整ネジ４がチルト調整方向に設けられているので、光ピックアップから照射された光ビームの光軸を垂直に調整するためのガイド軸２のチルト調整量と同じ量だけ調整ネジ４を進退させる必要がある。このため、調整ネジ４の長さは、螺合するための長さと調整のための長さとが必ず必要となり、ディスク面に対する垂直方向の寸法が長く必要であるため、チルト調整部１の薄型化が困難であるという不都合があった。
【０００４】
本発明は、従来の問題を解決するためになされたもので、チルト調整部の薄型化を可能にすることのできるディスク装置を提供することを目的とする。
【課題を解決するための手段】
【０００５】
本発明のディスク装置は、ディスクを回転させるディスク回転部と、前記ディスク回転部により回転されるディスクに対して光ビームを照射して情報の記録または再生を行う光ピックアップと、前記光ピックアップを前記ディスク回転部に装着されたディスクの径方向に移動可能に保持する光ピックアップガイド部材と、前記光ピックアップを移動させる光ピックアップ駆動部と、前記光ピックアップから照射された光ビームの光軸が前記ディスク回転部に装着されたディスクのディスク面に対して垂直になるように前記光ピックアップ駆動部の傾きを調整するチルト調整部とを備え、前記チルト調整部は、前記ディスク回転部に装着されたディスクに対して垂直なガイド面と、前記ガイド面に沿って前記光ピックアップ駆動部を移動させるチルト調整部材と、前記チルト調整部材および前記ガイド面に向けて前記光ピックアップ駆動部を付勢する付勢部材を有し、前記チルト調整部材は、前記ガイド面に対して斜め方向で、かつ、前記光ピックアップ駆動部に対して垂直方向に進退可能に設けられるとともに、前記調整部材と前記ガイド面とを前記光ピックアップ駆動部に対向して配置した構成を有している。
【０００６】
この構成により、ディスク回転部によってディスクを把持回転し、光ピックアップ駆動部が光ピックアップを光ピックアップガイド部材に沿ってディスクの径方向に移動させて、ディスクの記録・再生を行うとき、チルト調整部のチルト調整部材が、ガイド面に沿って光ピックアップ駆動部を移動させることにより光ピックアップから照射される光ビームの光軸がディスクに対して垂直となるように調整する必要があるが、チルト調整部材はガイド面に対して斜め方向で、且つ、光ピックアップ駆動部に対して垂直方向に移動するので、チルト調整部材の移動量を前記光ピックアップ駆動部の必要チルト調整量より低減することができ、すなわち、ディスク面に対して垂直な方向の寸法を短くすることができるので、チルト調整部の薄型化を可能にすることができる。なお、光ピックアップ駆動部の先端部は、付勢部材によってチルト調整部材およびガイド面に接するように付勢されているので、光ピックアップ駆動部の先端部はばたつくことなくディスクに対して接近・離反方向に調整されることになる。
【０００７】
また、本発明のディスク装置は、前記チルト調整部材は、前記光ピックアップ駆動部に対して前記ディスク回転部に装着されたディスクの反対方向に設けられた構成を有している。
【０００８】
この構成により、チルト調整部材によってチルト調整を行う際に、チルト調整部材をディスクと反対側方向から調整するので、ディスクが邪魔にならず、作業性が良い。
【０００９】
さらに、本発明のディスク装置では、前記光ピックアップ駆動部は、前記ガイド面と接触する第１の接触面と、前記チルト調整部材と接触する第２の接触面と、前記付勢部材と接触する第３の接触面とを有し、前記第１の接触面は平面で、かつ、前記第２の接触面と前記第３の接触面は円筒面で構成されている。
【００１０】
この構成により、ガイド面と接触する光ピックアップ駆動部の第１の接触面を平面状とすることにより、特別なガイドを設けることなく、光ピックアップ駆動部はガイド面に対して一定の姿勢を保持しつつ、ガイド面に沿って移動することができることとなる。また、光ピックアップ駆動部のチルト調整部材と接触する第２の接触面および付勢部材と接触する第３の接触面を円筒面としたので、チルト調整部材および付勢部材から光ピックアップ駆動部への力は常に光ピックアップ駆動部の中心に向かうことになり、安定して確実に力を作用させることができる。
【００１１】
さらに、本発明のディスク装置は、前記付勢部材は、チルト調整する時の前記光ピックアップ駆動部の移動方向に平行な方向に前記光ピックアップ駆動部を付勢するように構成されている。
【００１２】
この構成により、光ピックアップ駆動部が、ガイド面との第１の接触面、チルト調整部材との第２の接触面、付勢部材との第３の接触面のそれぞれと必ず接触することとなるので、安定した調整を行うことができる。
【００１３】
さらに、本発明の電子装置では、前述したディスク装置を備えた構成を有している。
【００１４】
この構成により、ディスク装置部分を薄型化することができ、電子装置全体としてのコンパクト化を図ることができることとなる。
【発明の効果】
【００１５】
本発明は、チルト調整部材はガイド面に対して斜め方向で、且つ、光ピックアップ駆動部に対して垂直方向に移動するので、チルト調整部材の移動量を前記光ピックアップ駆動部の必要チルト調整量より低減することができ、チルト調整部の薄型化を可能にすることができるという効果を有するディスク装置を提供することができるものである。
【発明を実施するための最良の形態】
【００１６】
以下、本発明の実施の形態について、図面を用いて説明する。
（第１の実施の形態）
図１には、本発明の実施形態のディスク装置１００を内蔵する電子装置としてのカーオーディオ装置１０の全体斜視図が示されている。このカーオーディオ装置１０では、ディスク装置１００のほかに、ラジオ１１、カセットテープ再生装置１２等を内蔵しており、前面パネル１３には、全機能に共有される表示部１３ａや電源／ボリュームつまみ１３ｂに加えて、ディスク装置１００におけるディスク挿排口１０１ａ、ラジオ用のチューニングつまみ１１ａ、カセットテープ挿排口１２ａ等が設けられている。また、内部には、ラジオ１１、カセットテープ再生装置１２、ディスク装置１００等を制御する制御部（図示省略）が設けられている。
【００１７】
次に、ディスク装置１００について説明する。図２は本発明の第１の実施の形態のディスク装置の待機時における上面図、図３は図２中III方向から見た側面図、図４は本発明のディスク装置の記録・再生時における上面図である。
図２〜図４において、ディスク装置１００の筐体１０１内部には、ディスク２００の記録再生を行うディスク記録再生部３００が設けられている。このディスク記録再生部３００では、ディスク２００面と平行な面内で回動可能かつ上下移動可能なベースシャーシ３０１を有している。このベースシャーシ３０１には、ディスク２００を回転させるディスク回転部であるターンテーブル３０２と、ターンテーブル３０２により回転されるディスク２００に対して光ビーム３０３ｂ（図７参照）を照射することにより記録または再生を行う光ピックアップ３０３が設けられている。光ピックアップ３０３は、光ピックアップガイド部材としてのガイド部３０１ａと、光ピックアップ駆動部の一部としての送りネジ３０５およびトラバースモータ３０４によって、ターンテーブル３０２に装着されたディスク２００の径方向に移動可能に設けられている。
【００１８】
図２に示すように、ディスク２００に対して記録および再生を行っていない状態では、ディスク記録再生部３００は待機位置、すなわち、ディスク２００の出し入れおよびディスク２００の上下移動に邪魔にならない位置に待機している。なお、各ディスク２００は、各々別個にトレイ（図示省略）により上下移動可能に保持されている。一方、ディスク２００に対して記録・再生を行う場合には、まず、図３に示すように、記録・再生を行うディスク２００の下側に作業スペースＳを設けるようにトレイおよびディスク２００を上下移動させる。その後、図４に示すように、ディスク記録再生部３００を回動させてターンテーブル３０２がディスク２００の中心下方に位置するように位置決めされる。そして、対象となるディスク２００を保持しているトレイを下降させて、ディスク２００をターンテーブル３０２上に載置し、ディスク２００をターンテーブル３０２で把持しながら回転させて、光ピックアップ３０３を移動させて記録・再生動作を行う。
【００１９】
次に、ディスク記録再生部３００について説明する。
図５は本発明の第１の実施の形態に係るディスク記録再生部の上面図、図６は図５中VI方向から見たディスク記録再生部の側面図、図７は図５中VII−VII位置から見た光ピックアップの側面図、図８は図５中VIII方向から見た側面図である。
【００２０】
図５〜７に示すように、ディスク記録再生部３００は、Ｅ方向およびＦ方向（図６参照）、すなわち、ターンテーブル３０２に載置されたディスク２００のディスク面に垂直な方向に移動可能に取り付けられているベースシャーシ３０１を有しており、ベースシャーシ３０１の先端部上面には、ディスク２００の中心を挟持して回転するターンテーブル３０２や、ターンテーブル３０２上にディスク２００を保持するクランプ部（図示せず）が設けられている。また、ターンテーブル３０２の下方には、ターンテーブル３０２を回転させるスピンドルモータ３０９が設けられている。このスピンドルモータ３０９は、詳細を後述するターンテーブル調整部６００を介してベースシャーシ３０１に調整可能に取付けられている。
【００２１】
また、ベースシャーシ３０１の長手方向に沿って、光ピックアップ駆動部の一部としての送りネジ３０５およびトラバースモータ３０４が設けられており、送りネジ３０５はトラバースモータ３０４によって回転駆動されるようになっている。送りネジ３０５には、ディスク２００の情報を記録再生するための光ピックアップ３０３が送りネジ３０５のネジ溝に係合して設けられており、光ピックアップ３０３は、トラバースモータ３０４の回転により送りネジ３０５に沿って、ディスク２００の径方向へ往復移動可能となっている。
【００２２】
トラバースモータ３０４は、モータブラケット３０４ａを介して略コ字状部分を有する光ピックアップ駆動部の一部としてのフレーム３０７の一端に取付けられている。また、トラバースモータ３０４に装着された送りネジ３０５の先端部は、キャップ４０２（図６参照）によって回転可能に保持されており、キャップ４０２はフレーム３０７に保持されている。このフレーム３０７の先端部（ターンテーブル３０２側）は、後述するチルト調整部４００を介してベースシャーシ３０１に調整可能に支持されている。また、フレーム３０７の基端部（ベースシャーシ３０１の回動中心側）は、後述する光ピックアップ調整部５００を介してベースシャーシ３０１に取付けられている。
【００２３】
図７に示すように、ベースシャーシ３０１における送りネジ３０５と反対側端部（図５において下端部）には、ベースシャーシ３０１の端部を折り曲げて光ピックアップガイド部材としてのガイド部３０１ａが形成されている。すなわち、ガイド部３０１ａは、ベースシャーシ３０１の一部によって形成されているので、部品点数を減少させることができる。このガイド部３０１ａは、送りネジ３０５と平行に且つ一段高く設けられており、このガイド部３０１ａ上を光ピックアップ３０３の突部３０３ａが移動自在に接触している。なお、光ピックアップ３０３の先端部には、光ピックアップ３０３の突部３０３ａをガイド部３０１ａに接触する方向に付勢する略コ字状の弾性部材３０８が設けられており、弾性部材３０８の接合部３０８ａがベースシャーシ３０１のガイド部３０１ａを下側から支持している。このため、ディスク記録再生部３００が振動等の外乱を受けた場合でも、光ピックアップ３０３がベースシャーシ３０１から外れたり、ばたついたりするのを防止している。
【００２４】
図８に示すように、ベースシャーシ３０１においてディスク２００と直交する方向へ折り曲げられているガイド面３０１ｈ（図６参照）の基端部（トラバースモータ３０４側、図８において右側）の上側の部分には、上下方向に長い長孔であるガイド孔３０１cが設けられており、可動域規制部としてのガイドネジ３０７ｂがガイドネジ孔３０７ｃを貫通してフレーム３０７の基端部に取付けられている。また、ベースシャーシ３０１のガイド面３０１ｈにおける先端部（ターンテーブル３０２側、図８において左側）にも、上下方向に長い長孔であるガイド孔３０１ｂが設けられており、フレーム３０７の先端部が可動域規制部としてのボス３０７ａによって移動可能に取り付けられている。従って、フレーム３０７のベースシャーシ３０１に対する許容移動範囲は、２箇所の長孔３０１ｂ、３０１ｃとボス３０７ａ、ガイドネジ３０７ｂとによって規制されることになる。
【００２５】
そして、ベースシャーシ３０１は、その詳細を後述するように、ターンテーブル３０２により回転されるディスク２００に対して、光ピックアップ３０３から照射された光ビーム３０３ｂ（図６参照）の光軸３０３ｃが垂直になるように調整するチルト調整部４００、送りネジ３０５等を保持するフレーム３０７の位置調整を行う光ピックアップ調整部５００、ターンテーブル３０２のディスク載置面の傾きを調整するターンテーブル調整部６００を備えている。
【００２６】
次に、チルト調整部４００について詳細に説明する。
図９は本発明の実施の形態に係るチルト調整部の上面図、図１０は本発明の第１の実施の形態におけるチルト調整部４００の側面図、図１１は本発明の第１実施の形態におけるチルト調整部４００の要部拡大図である。
図９〜１１に示すように、チルト調整部４００はベースシャーシ３０１に設けられており、ガイド面４０１ａを形成するガイド軸４０１、キャップ４０２を移動させる調整ネジ４０４、付勢部材としてのねじりコイルバネ４０５を有している。ガイド面４０１ａは、ガイド軸４０１の軸方向に平行なガイド軸４０１の外周面であり曲面である。この外周面（すなわちガイド面４０１ａ）と、ディスク回転部であるターンテーブル３０２に載置されたディスク２００のディスク面とが垂直な関係となっている。換言すると、ガイド面４０１ａの法線とターンテーブル３０２に載置されたディスク２００のディスク面とが平行でな関係になっている。ただし、ガイド面４０１ａは曲面のみに限らず、平面で形成してもよく、その場合はその平面とターンテーブル３０２に載置されたディスク２００のディスク面とが垂直な関係になれば良い。また、キャップ４０２は、ガイド軸４０１と接触する第１の接触面と、調整ネジ４０４と接触する第２の接触面と、ねじりコイルバネ４０５と接触する第３の接触面を有している。ここでは、キャップ４０２に設けられている円筒部分４０２ａに第１〜第３の接触面が設けられることになる。
【００２７】
キャップ４０２の中央には送りネジ３０５の先端を挿入するための穴が設けられており、送りネジ３０５の先端部がキャップ４０２の穴に挿入されることで送りネジ３０５はキャップ４０２に対して回転可能に支持されている。また、送りネジ３０５は付勢部材（図示せず）により、送りネジ３０５の回転軸がキャップ４０２に向かう方向（図９中Ａ方向）に付勢されている。
【００２８】
図１１に示すように、調整ネジ４０４はガイド面４０１ａを形成するガイド軸４０１に対して斜め方向（図１０において角θを成す方向）に設けられている。調整ネジ４０４は、例えばベースシャーシ３０１の一部を曲げ上げて曲上部３０１ｄを形成し、この曲上部３０１ｄにタップ４０３を設けて螺合させることで取付けることができる。
【００２９】
調整ネジ４０４はガイド面４０１ａに対して斜め方向に設けられており、例えば、図１２（Ａ）に示すように、平面的にはガイド面４０１ａに直交し、且つ上下方向に斜めに設けることができる。また、図１２（Ｂ）に示すように、平面的に見てもガイド面４０１ａに対して斜め（角度αまたはβ）に設け、且つ上下方向にも斜めに設けることもできる。換言すると、平面的には、調整ネジ４０４の軸方向が、ガイド面４０１ａが曲面であれば、図１２（Ａ）に示す場合、ガイド面４０１ａとキャップ４０２との接触点を通るガイド面４０１ａの法線と、調整ネジ４０４の軸方向とが平行になり、図１２（Ｂ）に示す場合、ガイド面４０１ａとキャップ４０２との接触点を通るガイド面４０１ａの法線と、調整ネジ４０４の軸方向とが角度αまたはβを成す関係になるように調整ネジ４０４を設けることができ、また、ガイド面４０１ａが平面であれば、図１２（Ａ）に示す場合ガイド面４０１ａの垂線と調整ネジ４０４の軸方向とが平行になり、図１２（Ｂ）に示す場合ガイド面４０１ａの垂線と調整ネジ４０４の軸方向とが角度αまたはβを成す関係になるように調整ネジ４０４を設けることができる。
【００３０】
また、調整ネジ４０４は、キャップ４０２の円筒部分４０２ａに対してターンテーブル３０２に装着されたディスク２００の反対方向（図１１において下方向）に配置されている。従って、調整ネジ４０４を進退させることで調整可能である。すなわち、調整ネジ４０４を正転させて進めると、調整ネジ４０４は上昇（図１１においてＡ方向）することになり、逆転させて退かせることで下降（図１１においてＢ方向）することになる。このため、ディスク２００が装着されていても調整可能であり、作業性が良い。調整ネジ４０４のキャップ４０２側の先端には平面部４０４ａが設けられており、この平面部４０４ａはキャップ４０２の円筒部分４０２ａをガイド軸４０１に沿って移動させるものである。
【００３１】
図１１に示すように、ねじりコイルバネ４０５は、調整ネジ４０４およびガイド軸４０１に対してキャップ４０２の円筒部分４０２ａを付勢するものである。図１３に示すように、ねじりコイルバネ４０５は一方の腕４０５ａがベースシャーシ３０１に係合するとともに、他方の腕４０５ｂがキャップ４０２の外周面４０２ａに接触する。なお、図１３（Ｂ）に示すように、他方の腕４０５ｂは水平に折り曲げられており、キャップ４０２の円筒部分４０２ａ対して水平に接触することになる。従って、ねじりコイルバネ４０５は、キャップ４０２の円筒部分４０２ａをベースシャーシ３０１に近づく方向（図１１中Ｃ方向）に真っ直ぐに付勢することになる。
【００３２】
従って、調整ネジ４０４を回してキャップ４０２の円筒部分４０２ａをガイド軸４０１に沿って上下移動させることにより、フレーム３０７の先端部を上下移動させて、ターンテーブル３０２に装着されたディスク２００と送りネジ３０５の距離を変化させる。これにより、光ピックアップ３０３から照射された光ビーム３０３ｂの光軸３０３ｃがディスク２００に対して垂直となるように調整することができる。
【００３３】
また、図１０および図１１に示すように、キャップ４０２の円筒部分４０２ａの軸中心と、ターンテーブル３０２に装着されたディスク２００下面の高さ方向の距離（図１０中Ｈ寸法）は、ガイド軸４０１に沿って変化する。かつ、キャップ４０２の円筒部分４０２ａおよび調整ネジ４０４の平面部４０４ａは、接触点を変化させつつ両部品の接触が維持されるため、チルト調整で必要となるキャップ４０２の高さ方向の移動量（図１１中Ｈ１寸法）に対して調整ネジ４０４の高さ方向の必要移動量（図１１中Ｈ２寸法）は小さくなる。すなわち、例えばθ＝４５°の場合、Ｈ２＝０．５×Ｈ１となる。
また同様に、チルト調整で必要となるキャップ４０２の高さ方向の移動量（図１１中Ｈ１寸法）に対して調整ネジ４０４の横方向の必要移動量（図１１中Ｈ３寸法）は例えばθ＝４５°の場合、Ｈ３＝０．５×Ｈ１となる。
【００３４】
このように、調整ネジ４０４は、ガイド面４０１ａに対して斜め方向で、且つ、フレーム３０７に対して垂直方向に移動するので、調整ネジ４０４の移動量をフレーム３０７の必要チルト調整量より低減することができ、チルト調整部４００の薄型化を可能にすることができる。なお、フレーム３０７に取り付けられているキャップ４０２の先端部は、ねじりコイルバネ４０５によって調整ネジ４０４およびガイド面４０１ａに接するように付勢されているので、光ピックアップ駆動部の先端部はばたつくことなくディスクに対して接近・離反方向に調整されることになる。
【００３５】
また、チルト調整でキャップ４０２とターンテーブル３０２に装着されたディスク２００の高さ方向の距離（図中Ｈ寸法）が変化しても、ガイド軸４０１とキャップ４０２は接触するため、送りネジ３０５中心とディスク２００の中心間のピッチ（図１０中Ｐ寸法）は常に一定となり、安定した記録再生が可能になる。
また、ねじりコイルバネ４０５はキャップ４０２をベースシャーシ３０１に近づく方向（図１０中Ｃ方向）に付勢する構成のため、ねじりコイルバネ４０５の腕４０５ｂとキャップ４０２の円筒部分４０２ａのかかり量（図１０中Ｐ１寸法）の余裕を確保しても、チルト調整部４００の厚み方向への影響はないため、安定した付勢とチルト調整部４００の薄型化の両立が可能になる。
また光ピックアップ３０３の突部３０３ａのガイド部３０１ａとの接触部は略半球形状に形成されている。そのため送りネジ３０５がチルト調整部４００により図７中Ｅ方向または図中Ｆ方向に移動し、送りネジ３０５に勘合ガイドされている光ピックアップ３０３が突部３０３ａとガイド部３０１ａの接触点を支点として傾斜した場合でも、光ピックアップ３０３の突部３０３ａとガイド部３０１ａとは安定した接合を行うことができる。
【００３６】
なお、前述した実施の形態においては、ガイド軸４０１をターンテーブル３０２の中心側に配し、調整ネジ４０４を外側に配置したが、図１４に示すように、調整ネジ４０４を中心側に配し、ガイド軸４０１を外側に配置することもできる。
また、トラバースモータ３０４と送りネジ３０５が一体の構成としていたが、本発明によれば、トラバースモータ３０４と送りネジ３０５の間に例えばギヤなどの動力伝達部を設けた構成であっても良い。この場合は、送りネジ３０５の両端部にキャップ４０２を設けることで同様のチルト調整部４００を実現可能である。
また、本実施の形態においては、送りネジ３０５で光ピックアップ３０３の内周および外周への移動の駆動力を伝達するとともに移動をガイドする機能を両立する構成としていたが、本発明によれば、送りネジ３０５とは別のガイド部材を設け、さらにこのガイド部材に対してチルト調整可能とする構成であっても良い。
また、本実施の形態においては、ねじりコイルバネ４０５でベースシャーシ３０１とキャップ４０２の間の付勢を行う構成としていたが、本発明によれば、ねじりコイルバネ以外の付勢部材（例えば板バネ、引っ張りねじりコイルバネ、圧縮バネなど）で付勢する構成であっても良い。
また、キャップ４０２とガイド軸４０１、調整ネジ４０４の平面部４０４ａ、ねじりコイルバネ４０５の腕４０５ｂの接触部をキャップ４０２に設けた同一直径の円筒面４０２ａで実現する構成としていたが、本発明によれば、それぞれの接触部を異なる直径の円筒面で実現する構成であっても良い。
また、本実施の形態においては、チルト調整部４００を光ピックアップ３０３のガイド部の高さを調整することで実現する構成としていたが、本発明によれば、スピンドルモータ３０９にキャップ４０２の外周面４０２ｂ、４０２ｃと同様の形状を設けることで、スピンドルモータ３０９の高さを調整することによりチルト調整を実現する構成であっても良い。
【００３７】
次に、チルト調整部である光ピックアップ調整部５００について説明する。
図１５は光ピックアップ調整部の上面図、図１６は図１５中ＸVI方向から見た光ピックアップ調整部の側面図、図１７は光ピックアップ調整部の分解斜視図である。
【００３８】
図１５および図１６において、光ピックアップ調整部５００は、ターンテーブル３０２に装着されたディスク２００と、送りネジ３０５およびトラバースモータ３０４が取付けられたフレーム３０７との距離を変化させることにより、光ピックアップ３０３から照射された光ビーム３０３ｂの光軸３０３ｃをディスク２００に対して垂直となるように調整できるものである
【００３９】
図８においてすでに概略を説明したが、ベースシャーシ３０１においてディスク２００と直交する方向へ折り曲げられているガイド面３０１ｈ（図６参照）の基端部（トラバースモータ３０４側、図８において右側）上部には、図１６および図１７に示すように、上下方向に長い長孔であるガイド孔３０１cが設けられている。また、フレーム３０７の基端部にはガイドネジ孔３０７ｃが設けられており、可動域規制部としてのガイドネジ３０７ｂをガイド孔３０１ｃを貫通してガイドネジ孔３０７ｃに取付ける。これにより、フレーム３０７は、ベースシャーシ３０１に対して方向Ｅ、Ｆに移動可能に取付けられることになるとともに、フレーム３０７のベースシャーシ３０１に対する許容移動範囲を規制することになる。
【００４０】
また、図８に示したように、ベースシャーシ３０１のガイド面３０１ｈにおける先端部（ターンテーブル３０２側、図８において左側）にも、上下方向に長い長孔であるガイド孔３０１ｂを設け、フレーム３０７の先端部を可動域規制部としてのボス３０７ａによって移動可能に取り付けるのが望ましい。従って、フレーム３０７のベースシャーシ３０１に対する許容移動範囲は、２箇所の長孔３０１ｂ、３０１ｃによって確実に規制されることになる。
【００４１】
図１７に示すように、フレーム３０７の基端部に折曲形成されている水平部３０７ｄには、第１の付勢部材として作用するバネ５０２の腕５０２ｂを係止するためのバネ係止部３０７ｅが上方に突出して設けられている。また、水平部３０７ｄの中央には、バネ５０２を支持するバネ支持棒３０７ｆが上方に向かって植設されている。一方、ベースシャーシ３０１側には、バネ係止爪３０１ｇが設けられており、さらにバネ５０２をフレーム３０７の水平部３０７ｄとの間に挟持するための固定ブラケット５０３が設けられている。
【００４２】
従って、コイル状のバネ５０２の本体５０２ｃをバネ支持棒３０７ｆに取付け、バネ５０２の一方の腕５０２ａをベースシャーシ３０１のバネ係止爪３０１ｇに引っ掛けるとともに、バネ５０２の他方の腕５０２ｂをフレーム３０７のバネ係止部３０７ｅに引っ掛ける。これにより、フレーム３０７をディスク２００の回転中心方向（図１５中Ａ方向）に付勢する。また、バネ５０２はフレーム３０７の水平部３０７ｄと固定ブラケット５０３との間に設けられており、両者間を開く方向すなわちフレーム３０７の基端部を下げる（図１６中Ｅ方向）に付勢している。
【００４３】
一方、ベースシャーシ３０１の基端部には、トラバースモータ３０４の下方に水平に位置するように受け部３０１ｅが折り曲げ形成されており、この受け部３０１ｅにはメネジ部３０１ｆが形成されている。メネジ部３０１ｆには、光ピックアップ調整部５００の調整部材である調整ネジ５０１が螺合しており、図１６中Ｅ，Ｆ方向へ移動可能となっている。調整ネジ５０１の先端（図１６において上端）は、トラバースモータ３０４を支持しているモータブラケット３０４ａの下部３０４ｂに接触しており、調整ネジ５０１によってモータブラケット３０４ａをＥ，Ｆ方向へ調整可能となっている。すなわち、調整ネジ５０１を正転させると、バネ５０２の付勢方向に反して、モータブラケット３０４ｂをＦ方向へ移動させることになる。
【００４４】
以上説明したように、光ピックアップ駆動部は、トラバースモータ３０４と送りネジ３０５とフレーム３０７とキャップ４０２とを有している。また、１個のバネ５０２が、フレーム３０７を光ピックアップ調整部５００の調整方向に反して付勢する圧縮バネ（第１の付勢部材）としての機能、フレーム３０７を光ピックアップ調整部５００の調整方向以外の方向に対して付勢する（ここでは、フレーム３０７をターンテーブル３０２側へ付勢する）ねじりコイルバネ（第２の付勢部材）としての機能を有している。このため、部品点数を減少させて、光ピックアップ調整部５００の薄型化を図ることができる。
【００４５】
また、調整ネジ５０１を移動させ、トラバースモータ３０４とターンテーブル３０２に装着されたディスク２００との距離を調整することで光ピックアップ３０３から照射された光ビーム３０３ｂの光軸３０３ｃをターンテーブル３０２に装着されたディスク２００に対して垂直に調整するチルト調整を可能にしている。
また、フレーム３０７はバネ５０２により付勢されているため、フレーム３０７、およびフレームと一体となって取り付けられている送りネジ３０５や光ピックアップ３０３の振動等の外乱によるガタツキを防止できる。
【００４６】
また、フレーム３０７のボス３０７ａおよびガイドネジ３０７ｂは、ベースシャーシ３０１に設けられたガイド孔３０１ｂおよびガイド孔３０１ｃにより可動域を制限される構成となっている。このため、製品の輸送時等においてバネ５０２およびバネ５０２により与圧保持されているフレーム３０７およびフレーム３０７に一体となって取り付いている光ピックアップ３０３等に対しバネ荷重以上の衝撃が加わり、フレーム３０７がベースシャーシ３０１から離反する方向（図８中Ｆ方向）に移動しようとした場合、フレーム３０７に設けられたボス３０７ａおよびガイドネジ３０７ｂがベースシャーシ３０１のガイド孔３０１ｃ、３０１ｂに接触し、衝撃等によりバネ５０２が破損するような荷重がかかるのを防止することができる。
【００４７】
次に、ターンテーブル調整部としてのターンテーブル調整部６００について説明する。
図１８はターンテーブル調整部の上面図、図１９はスピンドルモータ部分の側面図、図２０はターンテーブル調整部の要部拡大図である。
図１８〜図２０において、ターンテーブル調整部６００は、ターンテーブル３０２のディスク載置面の傾斜を変化させ、光ピックアップ３０３から照射された光ビーム３０３ｂの光軸３０３ｃをディスク２００に対して垂直となるように調整するものである。
【００４８】
図１８に示すように、ターンテーブル調整部６００は、２箇所の固定部６００ａ、６００ｂと１箇所の調整部６００ｃを有している。２箇所の固定部６００ａ、６００ｂでは、両固定部６００ａ、６００ｂの中心を結ぶ直線Ｌ１が、記録再生時の光ピックアップ３０３の移動方向に直交する方向（図１８においてＣ−Ｄ方向）に配置されている。また、１箇所の調整部６００ｃは、２箇所の固定部６００ａ、６００ｂの中心を結ぶ直線Ｌ１に対して記録再生時の光ピックアップ３０３の移動方向（図１８においてＡ側またはＢ側）に離れて配置されている。
【００４９】
すなわち、図２０に示すように、スピンドルモータ３０９はベースプレート３１０の上に一体的に取付けられており、ベースプレート３１０には２箇所の固定部６００ａ、６００ｂに対応して各々ガイド孔３１０ａ、３１０ｂが貫通して設けられている。また、２箇所の固定部６００ａ、６００ｂに対応して、ベースシャーシ３０１には各ガイド孔３１０ａ、３１０ｂを貫通する支持部材６０１、６０１が植設されている。支持部材６０１の上端面には締結部材６０３がねじ込まれており、締結部材６０３の上端部の頭部６０３ａとベースプレート３１０の上面との間にはバネ６０２が取付けられている。従って、ベースプレート３１０は、バネ６０２によって常時ベースシャーシ３０１側へ付勢されることになる。
【００５０】
図２０に示すように、調整部６００ｃにおいては、ベースシャーシ３０１に設けられている取付け穴３１１にメネジ軸６０４が取付けられている。このメネジ軸６０４は、円筒形状をしており、内部にはメネジ６０４ａが形成されている。メネジ軸６０４の内部のメネジ６０４ａには調整部材である調整ネジ６０５が螺合しており、メネジ軸６０４の下側の開口から調整ネジ６０５を回転させることができるようになっている。また、ベースプレート３１０には、調整部６００ｃに対応して曲げ上げられて曲げ部３１０ｃが形成されており、曲げ部３１０ｃの上側には板状のバネ６０６が設けられていて、曲げ部３１０ｃを常時Ｅ方向（下方）へ付勢している。曲げ部３１０ｃは調整ネジ６０５の上端面によって下方から支持されているので、ベースプレート３１０の曲げ部３１０ｃは、常時調整ネジ６０５の上端面に接触することになる。
【００５１】
従って、調整ネジ６０５を正転させて調整ネジ６０５を図２０中Ｆ方向へ移動させることにより、ベースプレート３１０の固定部６００ａ、６００ｂ側を支点として、ベースプレート３１０の調整部６００ｃ側を上昇させることができるようになっている。また、調整ネジ６０５を逆転させてＥ方向へ移動させると、ベースプレート３１０の曲げ部３１０ｃはバネ６０６の付勢力よってＥ方向へ移動することになる。従って、スピンドルモータ３０９の傾きを調整することにより、光ピックアップ３０３とターンテーブル３０２に装着されたディスク２００との距離を調整することができ、光ピックアップ３０３から照射された光ビーム３０３ｂの光軸３０３ｃがターンテーブル３０２に装着されたディスク２００に対して垂直となるように調整するチルト調整を行うことができる。またチルト調整の際、スピンドルモータ３０９が傾き、傾きの支点となる固定部６００ａ、６００ｂにおいて締結部材６０３とスピンドルモータ３０９の相対距離が変化しても、バネ６０２が伸縮するためスピンドルモータ３０９がたわみ変形することはなく、安定したチルト調整が可能となる。
【００５２】
固定部６００ｂと調整部６００ｃとの間のベースプレート３１０上には、上端にカサ部６０７ａを有するディスク回転部規制部材としてのストッパ６０７が取付けられている。カサ部６０７ａの下方のベースプレート３１０上には突起３１０ｄが設けられており、ベースプレート３１０が所定量上昇するとストッパ６０７のカサ部６０７ａに当接して、ベースプレート３１０はそれ以上上昇しないように規制される。
【００５３】
従って、製品の落下時や輸送時等においてバネ６０６により与圧保持されているスピンドルモータ３０９に対し、バネ荷重以上の衝撃が加わってスピンドルモータ３０９がベースシャーシ３０１から離反する方向（図中Ｆ方向）に移動しようとした場合、スピンドルモータ３０９のベースプレート３１０に設けた突起３１０ｄがストッパ部６０７のカサ部６０７ａに接触する。これにより、衝撃等によってバネ６０６が破損するような荷重がかかるのを防止することができる。
【００５４】
また、スピンドルモータ３０９の傾きの支点となる２箇所の固定部６００ａ、６００ｂを結ぶラインＬ１が、光ピックアップ３０３の移送方向に対して直行する位置に配置されているため、タンジェンシャル方向（図１８中Ｃ方向および図中Ｄ方向）にスピンドルモータ３０９が傾くことはなく、調整部６００ｃの調整ネジ６０５の進退によりラジアル方向（図中Ａ方向および図中Ｂ方向）の傾き調整が可能であり、安定かつ容易にチルト調整を行うことができる。
【００５５】
（第２の実施の形態）
次に、本発明の第２の実施の形態に係るディスク装置１００Ｂについて説明する。
図２１は本発明の第２の実施の形態のディスク装置要部の上面図である。なお、前述した第１の実施形態と共通する部位には同じ符号を付して、重複する説明を省略することとする。
図２１において、ディスク装置１００Ｂの筐体１０１中央には、ディスク２００の記録再生を行うディスク記録再生部３００Ｂが設けられている。
【００５６】
次に、ディスク記録再生部３００Ｂについて説明する。
図２２は本発明の第２の実施の形態のディスク記録再生部の上面図、図２３は図２２中XXIII方向から見たディスク記録再生部の側面図、図２４は図２３における要部拡大図である。
図２２、２３において、ディスク記録再生部３００Ｂは、ターンテーブル３０２に装着されたディスク２００と送りネジ３０５との距離を変化させることにより、光ピックアップ３０３から照射された光ビーム３０３ｂの光軸３０３ｃがターンテーブル３０２に装着されたディスク２００に対して垂直になるように調整するチルト調整部４００Ｂ等を備えている。
【００５７】
次に、チルト調整部４００Ｂについて説明する。なお、すでに第１の実施の形態において説明した部位に付いては、同じ符号を付して、重複する説明を省略することとする。
図２２〜２４において、チルト調整部４００Ｂは、送りネジ３０５の先端に挿入されたキャップ４０６と、一方をトラバースモータ３０４のモータブラケット３０４ａに、他方をキャップ４０６に固定されたフレーム３０７を備えている。
【００５８】
キャップ４０６の中央には送りネジ３０５の先端を挿入するための穴が設けられており、送りネジ３０５の先端部がキャップ４０６の穴に挿入されることで送りネジ３０５はキャップ４０６に対して回転可能に支持されている。また、キャップ４０６の外周で調整ネジ４０４の平面部４０４ａやねじりコイルバネ４０５の腕４０５ｂに接触する部分には円筒形状の外周面４０６ａが設けられている。一方、キャップ４０６の外周でガイド軸４０１に接触する部分には平面形状の外周面４０６ｃが設けられている。つまり、キャップ４０６の外周面は略Ｄ形状に構成されている。
【００５９】
従って、ねじりコイルバネ４０５の付勢により、キャップ４０６の外周面４０６ｂは常に調整ネジ４０４の平面部４０４ａに接触する。また、キャップ４０６の外周面４０６ｃは常にガイド軸４０１に接触する。よって、調整ネジ４０４を移動させ、キャップ４０６とディスク２００の距離を調整することで、光ピックアップ３０３から照射された光ビーム３０３ｂの光軸３０３ｃがターンテーブル３０２に装着されたディスク２００に対して垂直になるように調整するチルト調整を可能にしている。
また、チルト調整でキャップ４０６とターンテーブル３０２に装着されたディスク２００の高さ方向の距離（図２４中Ｈ寸法）が変化しても、ガイド軸４０１とキャップ４０６の外周面４０６ｃは接触するため、送りネジ３０５中心とターンテーブル３０２に装着されたディスク２００の中心間のピッチ（図２４中Ｐ寸法）は常に一定となり、安定した記録再生が可能になる。
【００６０】
また、キャップ４０６の外周面４０６ｃは平面形状で、かつ、キャップ４０６の外周面４０６ｂは円筒形状を有しているため、ガイド軸４０１とキャップ４０６の外周面４０６ｃは常に直線状の接触面を維持することが可能である。つまり、キャップ４０６やフレーム３０７は特別なガイド部を必要とせずに、ガイド軸４０１やベースシャーシ３０１に対して送りネジ３０５の回転方向（図中Ｅ、Ｆ方向）の姿勢を一定に保ちつつ、キャップ４０６とディスク２００の距離を調整する方向に移動可能になる。
【００６１】
以上説明したように、第２の実施の形態のチルト調整部４００Ｂを構成することで、チルト調整部材としての調整ネジ４０４の移動量を光ピックアップ駆動部５００（図２２参照）の必要チルト調整量より低減するとともに、チルト調整時のキャップ４０６やフレーム３０７などの部品とベースシャーシ３０１の姿勢を一定に保ちつつチルト調整を行うことで、チルト調整部４００Ｂの薄型化とチルト調整部４００Ｂの省部品化の両立を実現できる。
【００６２】
なお、前述した実施の形態においては、ガイド軸４０１をターンテーブル３０２の中心側に配し、調整ネジ４０４を外側に配置したが、図１４に示すように、調整ネジ４０４を中心側に配し、ガイド軸４０１を外側に配置することもできる。
また、トラバースモータ３０４と送りネジ３０５とを一体の構成としていたが、本発明によれば、トラバースモータ３０４と送りネジ３０５の間に例えばギヤなどの動力伝達部を設けた構成であっても良い。この場合は、送りネジ３０５の両端部にキャップ４０６を設けることで同様のチルト調整部４００Ｂを実現可能である。
また、本実施の形態においては、送りネジ３０５で光ピックアップ３０３の内周および外周への移動の駆動力を伝達するとともに移動をガイドする機能を両立する構成としていたが、本発明によれば、送りネジ３０５とは別のガイド部材を設け、さらにこのガイド部材に対してチルト調整可能とする構成であっても良い。
また、本実施の形態においては、ねじりコイルバネ４０５でベースシャーシ３０１とキャップ４０６の間の付勢を行う構成としていたが、本発明によれば、ねじりコイルバネ以外の付勢部材（例えば板バネ、引っ張りねじりコイルバネ、圧縮バネなど）で付勢する構成であっても良い。
また、本実施の形態においては、キャップ４０６と調整ネジ４０４の平面部４０４ａおよびねじりコイルバネ４０５の腕４０５ｂの接触部をキャップ４０６に設けた同一直径の円筒面４０６ａで実現する構成としていたが、本発明によれば、それぞれの接触部を異なる直径の円筒面で実現する構成であっても良い。
また、本実施の形態においては、チルト調整部４００Ｂを光ピックアップ３０３のガイド部の高さを調整することで実現する構成としていたが、本発明によれば、スピンドルモータ３０９にキャップ４０６の外周面４０６ｂ、４０６ｃと同様の形状を設けることで、スピンドルモータ３０９の高さを調整することによりチルト調整を実現する構成であっても良い。
さらに、上述した第１の実施例および第２の実施例の説明において、ディスク装置１００は複数枚のトレイを有しベースシャーシが回動可能かつ上下移動可能に設けられた、所謂チェンジャータイプのディスク装置を用いて説明したが、トレイの有無やベースシャーシが回動可能か上下移動可能かにかかわらず、ターンテーブルに載置されたディスクの径方向に移動可能な光ピックアップを用いて、光ピックアップからターンテーブルに載置されたディスクへ向けて光ビームを照射することで記録再生動作を行うディスク装置に適用しても同様の効果が得られる。
【産業上の利用可能性】
【００６３】
以上のように、本発明に係るディスク装置は、チルト調整部材はガイド面に対して斜め方向で、且つ、光ピックアップ駆動部に対して垂直方向に移動するので、チルト調整部材の移動量を前記光ピックアップ駆動部の必要チルト調整量より低減することができ、チルト調整部の薄型化を可能にすることができるという効果を有し、ディスクの情報記録面に対して光ピックアップから照射された光ビームの光軸を垂直に調整することができるチルト調整部の薄型化を図ったディスク装置等として有用である。
【図面の簡単な説明】
【００６４】
【図１】本発明の実施形態に係るディスク装置を内蔵する電子装置としてのカーオーディオ装置の全体斜視図
【図２】待機時におけるディスク装置の上面図
【図３】図２中III方向から見た側面図
【図４】本発明のディスク装置の記録・再生時における上面図
【図５】本発明の第１の実施の形態に係るディスク記録再生部の上面図
【図６】図５中VI方向から見たディスク記録再生部の側面図
【図７】図５中VII−VII位置から見た光ピックアップの側面図
【図８】ベースシャーシおよびフレームの側面図
【図９】本発明の実施の形態に係るチルト調整部の上面図
【図１０】本発明の実施の形態に係るチルト調整部の側面図
【図１１】本発明の第１実施の形態に係るチルト調整部の要部拡大図
【図１２】（Ａ）および（Ｂ）は、ガイド面に対して斜めに設けられている調整ネジの取付け状態を示す説明図
【図１３】（Ａ）はバネの側面図、（Ｂ）はバネの正面図
【図１４】調整ネジの取付け方の別の例を示す断面図
【図１５】光ピックアップ調整部の上面図
【図１６】図１５中ＸVI方向から見た光ピックアップ調整部の側面図
【図１７】光ピックアップ調整部の分解斜視図
【図１８】ターンテーブル調整部の上面図
【図１９】スピンドルモータ部分の側面図
【図２０】ターンテーブル調整部の要部拡大図
【図２１】本発明の第２の実施の形態のディスク装置要部の上面図
【図２２】本発明の第２の実施の形態のディスク記録再生部の上面図
【図２３】図２２中XXIII方向から見たディスク記録再生部の側面
【図２４】図２３における要部拡大図
【図２５】従来のディスク装置におけるチルト調整部を示す断面図
【符号の説明】
【００６５】
１０  カーオーディオ装置（電子装置）
１００  ディスク装置
２００  ディスク
３０１  ベースシャーシ
３０１ａ  ガイド部（光ピックアップガイド部材）
３０２  ターンテーブル（ディスク回転部）
３０３  光ピックアップ
３０３ｂ  光ビーム
３０３ｃ  光軸
３０４  トラバースモータ（光ピックアップ駆動部）
３０５  送りネジ（光ピックアップ駆動部）
４００  チルト調整部
４０１ａ  ガイド面
４０４  調整ネジ（チルト調整部材）
４０５  ねじりコイルバネ（付勢部材）
【図１】
2008097780.tif 000003
【図２】
2008097780.tif 000004
【図３】
2008097780.tif 000005
【図４】
2008097780.tif 000006
【図５】
2008097780.tif 000007
【図６】
2008097780.tif 000008
【図７】
2008097780.tif 000009
【図８】
2008097780.tif 000010
【図９】
2008097780.tif 000011
【図１０】
2008097780.tif 000012
【図１１】
2008097780.tif 000013
【図１２】
2008097780.tif 000014
【図１３】
2008097780.tif 000015
【図１４】
2008097780.tif 000016
【図１５】
2008097780.tif 000017
【図１６】
2008097780.tif 000018
【図１７】
2008097780.tif 000019
【図１８】
2008097780.tif 000020
【図１９】
2008097780.tif 000021
【図２０】
2008097780.tif 000022
【図２１】
2008097780.tif 000023
【図２２】
2008097780.tif 000024
【図２３】
2008097780.tif 000025
【図２４】
2008097780.tif 000026
【図２５】
2008097780.tif 000027